(57)【要約】【課題】  複数の換気扇の一元制御において、省エネと快適性とをバランス良く両立させるように制御する。【解決手段】  ＣＯ２センサ２、人感センサ３、及び換気扇４が、各部屋毎又は各エリア毎に設置され、ネットワーク１に接続されている。コントローラ５は、ネットワーク１を介して、各ＣＯ２センサ２、各人感センサ３によるＣＯ２濃度値、人の有無の検出結果と、予め設定される４種類の閾値とに基づいて、各部屋毎又は各エリア毎に、その換気扇４を運転させるか否かを判定し、判定結果により必要に応じて換気扇４をネットワーク１を介してＯＮ／ＯＦＦ制御する。【選択図】図１
2007085698.tif 000002
【特許請求の範囲】
【請求項１】
各部屋毎又は１つの部屋を複数に分割した各エリア毎に配置されてネットワークに接続される、ＣＯ２センサ、人感センサ、及び換気扇と、
前記ネットワークに接続されるコントローラとを有し、
前記コントローラは、前記各人感センサによって検出される前記各部屋内又は各エリア内の人の有無と、前記各ＣＯ２センサによって計測される前記各部屋内又は各エリア内のＣＯ２濃度値とを、前記ネットワークを介して入力し、該ＣＯ２濃度値を予め設定される複数の閾値と比較し、該比較結果と前記人の有無とに応じて、前記換気扇をＯＮ又はＯＦＦすべきかを判定し、該判定結果により必要に応じて前記ネットワークを介して前記換気扇をＯＮ制御又はＯＦＦ制御することを特徴とする空調システム。
【請求項２】
前記複数の閾値は、強制換気閾値、強制換気解除閾値、換気運転閾値、換気停止閾値の４種類であり、
前記コントローラは、
前記計測されたＣＯ２濃度値が前記強制換気閾値以上であれば、人の有無に係らず前記換気扇をＯＮ制御し、
人が居ない場合において、前記計測されるＣＯ２濃度値が前記強制換気解除閾値未満となったら、前記換気扇をＯＦＦ制御し、
人が居る場合において、前記計測されるＣＯ２濃度値が、前記換気運転閾値以上であれば前記換気扇をＯＮ制御し、前記換気停止閾値未満となったら前記換気扇をＯＦＦ制御することを特徴とする請求項１記載の空調システム。
【請求項３】
前記ＯＮ／ＯＦＦ制御対象が前記エリア内に配置された換気扇である場合、
前記コントローラは、各エリア毎に、該エリアと同じ部屋内の他のエリアの中で連動運転を依頼するエリアである連動エリアを記憶しておく記憶手段を有し、
前記コントローラは、任意の制御対象エリアの前記換気扇のＯＮ制御後、予め設定される所定時間経過しても前記計測されるＣＯ２濃度値が所定の閾値未満とならなかった場合、前記記憶手段を参照し、該制御対象エリアの連動エリアにおける換気扇をＯＮ制御することを特徴とする請求項１又は２記載の空調システム。
【請求項４】
前記ＣＯ２センサ、人感センサ、換気扇、コントローラがネットワークに接続されたネットワークシステムは、ＬｏｎＷｏｒｋｓ技術を用いることを特徴とする請求項１〜３の何れかに記載の空調システム。
【請求項５】
各部屋毎又は１つの部屋を複数に分割した各エリア毎にＣＯ２センサ、人感センサ、及び換気扇が配置され、該各ＣＯ２センサ、人感センサ、及び換気扇とコントローラがネットワークに接続されたシステムにおける該コントローラに、
前記各人感センサによって検出される前記各部屋内又は各エリア内の人の有無と、前記各ＣＯ２センサによって計測される前記各部屋内又は各エリア内のＣＯ２濃度値とを、前記ネットワークを介して入力し、該ＣＯ２濃度値を予め設定される複数の閾値と比較し、該比較結果と前記人の有無とに応じて、前記換気扇をＯＮ又はＯＦＦすべきかを判定し、該判定結果により必要に応じて前記ネットワークを介して前記換気扇をＯＮ制御又はＯＦＦ制御する機能
を実現させる為のプログラム。
【発明の詳細な説明】
【技術分野】
【０００１】
本発明は、ビル等の施設内の空調を一括管理制御する空調システムに関する。
【背景技術】
【０００２】
従来より、空調システムに関しては、エアコン等による冷暖房を管理制御するものが数多く提案されているが、換気に関するものは少ない。換気に関しては、特許文献１において冷暖房と換気の複合制御が提案されている。
【特許文献１】特開平９−１８４６４９号公報
【発明の開示】
【発明が解決しようとする課題】
【０００３】
上記特許文献１の発明では、各部屋毎に人体検知センサを設け、入退出情報を得て、人の居ないときには緩い換気を行っておき、人が入室すると、換気の程度を強めるようにしている。しかしながら、換気の主な目的は、室内に外部の新鮮な空気を取り入れることで、室内のＣＯ２（二酸化炭素）濃度値を下げることであるので、人が居る／居ないに係らずＣＯ２濃度値が十分に下がっているにも係らず換気を続けることは、省エネの観点から無駄である。
【０００４】
これに対して、特許文献１では、更に、寝室に、炭酸ガスを検出する汚れ検知センサを設け、その検出値により、換気が不十分であることや換気過剰であることが判別され、この検出値に応じた換気量となるように制御することが提案されている。しかしながら、快適性を損なわずに省エネ効果を上げる為に、具体的に、どの様な制御を行うべきかについては提案されておらず、省エネと快適性との両立を図るうえで未だ不十分である。
【０００５】
また、比較的広い部屋である為、複数の換気扇が設けられている場合において、快適性を損なわずに省エネ効果を上げつつも効率的な換気を行うようにすることについては、従来では、何等考えられていなかった。
【０００６】
また、従来では、施設全体を管理制御する空調システムは、比較的大規模なビル等では導入されているが、中小のビル等のような比較的小規模な施設においては、単に各部屋に個別に空調機が設置されているだけで全体を管理制御するようなシステムが無い場合が殆どである。これは、コスト的な問題が一因としてあると共に、各部屋毎に異なるメーカの空調機が既に設置されている場合、これらをネットワークに接続して一括管理制御するシステムを構築することが容易ではないからである。
【０００７】
本発明の課題は、ＣＯ２濃度値と人の有無の検出結果に基づき、複数の閾値を用いることで、省エネと快適性とをバランス良く両立させるように換気扇をＯＮ／ＯＦＦ制御し、更に、比較的大きな室内に複数の換気扇がある場合において、換気効率を上げて短時間で快適な環境とすることと省エネとを適切なバランスで両立させることができる空調システム、そのプログラム等を提供することである。
【課題を解決するための手段】
【０００８】
本発明の空調システムは、各部屋毎又は１つの部屋を複数に分割した各エリア毎に配置されてネットワークに接続される、ＣＯ２センサ、人感センサ、及び換気扇と、前記ネットワークに接続されるコントローラとを有し、前記コントローラは、前記各人感センサによって検出される前記各部屋内又は各エリア内の人の有無と、前記各ＣＯ２センサによって計測される前記各部屋内又は各エリア内のＣＯ２濃度値とを、前記ネットワークを介して入力し、該ＣＯ２濃度値を予め設定される複数の閾値と比較し、該比較結果と前記人の有無とに応じて、前記換気扇をＯＮ又はＯＦＦすべきかを判定し、該判定結果により必要に応じて前記ネットワークを介して前記換気扇をＯＮ制御又はＯＦＦ制御する。
【０００９】
上記空調システムでは、例えばビル内の各部屋や、比較的広い部屋を分割した各エリア毎に、ＣＯ２センサ、人感センサ、及び換気扇が設置され、これらはネットワークに接続され、コントローラによって一括管理制御する。コントローラは、各センサによって測定されたＣＯ２濃度値と人の有無に基づいて、換気扇をＯＮ／ＯＦＦ制御するが、特に複数の閾値を用いることで、きめ細かい制御を行い、省エネと快適性とをバランス良く両立させるようにできる。
【００１０】
上記複数の閾値を用いたきめ細かい制御としては、例えば、前記複数の閾値は、強制換気閾値、強制換気解除閾値、換気運転閾値、換気停止閾値の４種類であり、前記コントローラは、前記計測されたＣＯ２濃度値が前記強制換気閾値以上であれば、人の有無に係らず前記換気扇をＯＮ制御し、人が居ない場合において、前記計測されたＣＯ２濃度値が前記強制換気解除閾値未満となったら、前記換気扇をＯＦＦ制御し、人が居る場合において、前記計測されたＣＯ２濃度値が、前記換気運転閾値以上であれば前記換気扇をＯＮ制御し、前記換気停止閾値未満となったら前記換気扇をＯＦＦ制御する。
【００１１】
また、上記空調システムにおいて、例えば、前記ＯＮ／ＯＦＦ制御対象が前記エリア内に配置された換気扇である場合、前記コントローラは、各エリア毎に、該エリアと同じ部屋内の他のエリアの中で連動運転を依頼するエリアである連動エリアを記憶しておく記憶手段を有し、前記コントローラは、任意の制御対象エリアの前記換気扇のＯＮ制御後、予め設定される所定時間経過しても前記計測されるＣＯ２濃度値が所定の閾値未満とならなかった場合、前記記憶手段を参照し、該制御対象エリアの連動エリアにおける換気扇をＯＮ制御するようにしてもよい。
【００１２】
比較的広い室内に複数の換気扇がある場合、１台の換気扇のみを運転させてもＣＯ２濃度値がなかなか下がらない場合もあり得る。一方、常に複数の換気扇を運転させるのは、省エネの観点から望ましくない。この為、上記空調システムでは、あるエリアの換気扇を運転開始後、所定時間経過してもＣＯ２濃度値が閾値未満とならなかったら、他のエリアの換気扇も運転させて換気効率を上げるようにすることで、省エネと快適性とをバランス良く両立させるようにする。
【発明の効果】
【００１３】
本発明の空調システムによれば、ＣＯ２濃度値と人の有無の検出結果に基づき、複数の閾値を用いて換気扇をＯＮ／ＯＦＦ制御することで、省エネと快適性とをバランス良く両立させるようにできる。更に、比較的大きな室内に複数の換気扇がある場合において、換気効率を上げて短時間で快適な環境とすることと省エネとを適切なバランスで両立させることができる。
【発明を実施するための最良の形態】
【００１４】
以下、図面を参照して、本発明の実施の形態について説明する。
図１は、本例の空調システムの概略的なシステム構成図である。
図示のネットワークシステムでは、複数（Ｎ個）のＣＯ２（二酸化炭素）センサ２、複数（Ｎ個）の人感センサ３、複数（Ｎ個）の換気扇４、及び１台のコントローラ５が、ネットワーク１に接続されている。尚、換気扇４に関しては、実際には、換気扇を駆動するアクチュエータが、ネットワーク１に接続されている。
【００１５】
ＣＯ２センサ２、人感センサ３、換気扇４は、それぞれ、各部屋又は後述する各エリア毎に、一台ずつ配置されている。同じ部屋又は同じエリアに設けられているＣＯ２センサ２、人感センサ３、換気扇４は、後述する図５（ｂ）に示すセンサ−換気扇対応付けテーブルを参照すれば分かるようになっている。つまり、任意のＣＯ２センサ又は人感センサ３による測定データに基づいて換気扇のＯＮ／ＯＦＦ切り替えを判定した場合に、どの換気扇に対してＯＮ／ＯＦＦ切り替え指示を出すのか、分かるようになっている。
【００１６】
コントローラ５は、特に図示しないが、ネットワーク１を介して各ＣＯ２センサ２、人感センサ３からデータ収集したり各換気扇４に対してＯＮ／ＯＦＦ指示を送信する為の通信機能と、ＣＰＵ等の処理部と、メモリ等の記憶部とを備えている。記憶部には、後述する各種閾値やセンサ−換気扇対応付けテーブルや連動エリアテーブルや所定時間等のデータが予め記憶されている。また、上記各種センサ２，３や換気扇４を識別する為のデータ（ＩＤ等）やこれらのアドレス等も予め記憶されている。また、後述する図２、図６に示すフローチャート図の処理を、上記処理部によって実行させる為のアプリケーションプログラムが予め記憶されている。尚、この処理の際には、上記各種閾値、各種テーブル、所定時間等が参照される。
【００１７】
尚、図１には示していないが、ネットワーク１にはエンジニアリングツール（パソコン等）も必要に応じて接続することができ、上記各種閾値や各種テーブル、所定時間等のデータは、このエンジニアリングツールから設定・変更できる。上記プログラムも、このエンジニアリングツールにおいて作成されてコントローラ５に転送されて格納される。
【００１８】
上記アプリケーションプログラムは、図２に示すように、各換気扇４毎に対応する複数の制御プログラムであり、上記処理部は、図２に示すように、換気扇１用制御プログラム→換気扇２用制御プログラム→・・・→換気扇Ｎ用制御プログラムというように、各制御プログラムを順次実行する。但し、各制御プログラムによる処理内容（図６の処理）は、同一であり、制御対象となる換気扇４が異なるだけである。
【００１９】
各制御プログラムの処理フローチャート図を、図６に示す。
但し、図６の説明の前に、図３〜図５を参照して、図６の処理内容について概略的に説明しておく。
【００２０】
図３には、上記各種閾値とＣＯ２センサによって検出されるＣＯ２濃度値の具体例を示す。
本例では、上記各種閾値は、図示の４種類である。すなわち、強制換気閾値ａ、強制換気解除閾値ｂ、換気運転閾値ｃ、及び換気停止閾値ｄである。そして、ここでは一例として、ａ＝８００（ppm）、ｂ＝７５０(ppm)、ｃ＝７００（ppm）、ｄ＝６００（ppm）としている。また、図示の例では、人が居る場合における本例の換気扇４運転制御によるＣＯ２濃度値の推移を示してある。
【００２１】
コントローラ５は、上記各種閾値等の設定データを用いて、概略的には、以下の制御を実行する。
上記測定されたＣＯ２濃度値が、強制換気閾値ａを越えた場合には、人の有無に係らず、対応する換気扇４へＯＮ指示する。更に、人がいない場合には、その後、ＣＯ２濃度値が強制換気解除閾値ｂを下回った場合には、換気扇へＯＦＦ指示する。一方、人がいる場合には、ＣＯ２濃度値が換気停止閾値ｄを下回るまでは、換気扇はＯＦＦしない。
【００２２】
また、人が居る場合において、ＣＯ２濃度値が換気運転閾値ｃを越えた場合には、対応する換気扇へＯＮ指示する。そして、ＣＯ２濃度値が換気停止閾値ｄを下回ったら、換気扇へＯＦＦ指示する。
【００２３】
上記強制換気閾値ａ、強制換気解除閾値ｂは、主に人が居ない場合に対する閾値である。人が居ない場合には、ＣＯ２濃度値は、ある程度高めであっても良いが、あまり高い濃度値であると、人が入ってきたときに不快に感じるし、更に換気を開始しても、快適な状態になるまでに時間が掛かることになる。その一方で、人が居ないにも係らず、例えば換気運転閾値ｃ及び換気停止閾値ｄを用いて換気扇の制御を行うことは、省エネの観点から適切ではない（勿論、常時換気運転を行うことは省エネの観点からは論外である）。
【００２４】
以上のことから、省エネと快適性とをバランス良く両立させる為に、本例では、４つの閾値を用いている。但し、閾値は４種類に限るものではない。
ここで、上記人の有無とは、一組のＣＯ２センサ２・人感センサ３・換気扇４が設けられた任意の部屋又はエリア内に、現在、人が誰も居ないか否かを意味し、当然、人感センサ３によって検知する。このエリアとは、例えば図４に示すように、１つの比較的大きな部屋を複数のエリアに分割したものである。エリアの分割の仕方は任意に決めてよく、図４の例では４分割して４つのエリアが形成されているが、この例に限らない。但し、図示の通り、各エリア毎に、一組のＣＯ２センサ２・人感センサ３・換気扇４が設けられている必要がある。制御対象が上記エリアである場合には、上記ＣＯ２濃度値が強制換気閾値ａを越えた場合、換気運転閾値ｃを越えた場合の何れの場合においても、上記換気扇４へのＯＮ指示後、以下の処理を行う。
【００２５】
すなわち、例えば図４に示す例のように４つのエリアがある場合において、例えば１つのエリアのみ換気扇４をＯＮする状況になった場合に、部屋が比較的広いことから、１台の換気扇４のみでは換気効率が悪く、なかなかＣＯ２濃度値が下がらないという事態が起こり得る。この様な事態に対応する為に、本例では、上記換気扇４へのＯＮ指示後、予め設定される所定時間経過しても、ＣＯ２濃度値が所定値未満にならない場合には、同じ部屋内の他のエリア（連動エリアという）の換気扇４に対して、当該他のエリアのＣＯ２濃度値に関係なく、ＯＮ指示を出すようにする（連動運転という）。この様にすることで、換気効率を上げて、短い時間で快適な環境とすることができる。尚、最初から他のエリアの換気扇も一緒に動作させることも考えられるが、省エネの観点からは適切ではない。換気効率を上げて短時間で快適な環境とすることと省エネとを適切なバランスで両立させる為に、本手法では、上記の方法を提案している。
【００２６】
ここで、上記省エネとは、単に換気扇４の消費電力のみを考慮するものではない。エアコン等で冷暖房を行っている場合、換気扇４を運転させることは、冷暖房効率を悪化させ、室内の快適性を悪化させ、エアコンの消費電力を増大させることになる。例えば夏において冷房を行っている場合、換気扇４を運転させれば、外部の高温の空気を流入させることになるので、当然、エアコンの負担が増大し、消費電力が増大することになり、また室内の温度を下げるのに時間が掛かることになるので、快適性にも影響する。
【００２７】
本手法では、この点を考慮して、ＣＯ２濃度値に係る快適性を考慮しつつも出来るだけ換気扇４を運転させないように制御することで、快適性と省エネとを適切なバランスで両立させるようにしている。換言すれば、快適性を損なわずに省エネ効果を図ることができる。
【００２８】
上記連動運転を行う他のエリアは、任意に決めてもよいし、他の全てのエリアを連動運転させるようにしてもよいが、ここでも、換気効率と省エネとの両立を考えて、例えば図５（ａ）に示す例のように設定しておくことが望ましい。図５（ａ）には、連動エリアテーブルの一例を示す。この連動エリアテーブルは、予め設定されて、コントローラ５内の上記記憶部に記憶されている。上記連動運転を行う際には、この連動エリアテーブルを参照することで連動エリアを知ることができる。図示の○が連動エリアを意味する。尚、実際には、○ではなく、例えばフラグであり、フラグＯＮとなっているエリアが連動エリアである。図５（ａ）においては、例えばエリアＡに関しては、エリアＢとエリアＤが連動エリアである。その理由は、エリアＢとエリアＤがエリアＡに隣接するエリアであるからである。この様に、対象エリアに近いエリアを連動エリアとすることで、連動エリアの換気扇４にも運転指示した場合の対象エリアの換気効率が良くなる。尚、図示の例では、１つのエリア当たり２つの連動エリアがあるが、勿論、この例に限らない。連動エリアが１つであってもよい。
【００２９】
また、図５（ｂ）には、上記センサ−換気扇対応付けテーブルの一例を示してある。図示の通り、具体的なデータ例は示さないが、センサ−換気扇対応付けテーブルには、各部屋又はエリアの識別番号に対応付けて、その部屋又はエリアに設置されるＣＯ２センサ２、人感センサ３、換気扇４の識別番号やアドレス等が格納される。これより、コントローラ５は、センサ−換気扇対応付けテーブルを参照することで、データ収集したＣＯ２センサ２、人感センサ３が、どの部屋又はエリアに設置されているのかを判別し、必要に応じて、これらセンサと同じ部屋又はエリアに設置されている換気扇４に対して、ＯＮ／ＯＦＦ指示を送信することができる。センサ−換気扇対応付けテーブルは、上記連動エリアの換気扇に対してＯＮ／ＯＦＦ指示を送信する際にも参照される。
【００３０】
以下、図６の処理について説明する。
図６に示す処理は、制御対象が上記エリアである場合の処理である。制御対象が部屋（エリアに分割されていない、比較的小さな部屋）である場合には、図６の処理から、連動運転に係る処理を削除した処理を実行すればよい。また、図６では、上記各種閾値の具体的な数値（８００ppm等）を用いて処理を説明しているが、勿論、この数値に限定されるわけではない。
【００３１】
図６の処理は、上述してあるように、各換気扇４毎にそれぞれ実行され、換言すれば、各エリア毎にそれぞれ実行される。
図６の処理では、まず最初に、他のエリアからの連動運転指示中であるか否かを判定する（ステップＳ１１）。これは、例えば、特に図示しないが、各換気扇４毎に対応付けて、現在、他のエリアからの連動運転指示中か否かを記憶する連動指示テーブルを、上記記憶部に格納しておき、この連動指示テーブルを参照して判定する。この連動指示テーブルの内容は、後述するステップＳ１８、Ｓ２６、Ｓ３６、Ｓ３８、Ｓ４３、Ｓ４５の処理の際に更新される。例えば、連動指示テーブルには、各エリアに対応付けてフラグが格納されており、他のエリアに対して連動運転指示する場合には、当該フラグをＯＮする。その後、当該他のエリアを処理対象とする図６の処理が実行されると、このフラグを参照することで、他のエリアからの連動運転指示中であるか否かを判別できる。例えば、エリアＡを処理対象とする図６の処理中に、ステップＳ１８の処理を実行した場合、エリアＢとエリアＤに対応する上記フラグがセットされる。その後、エリアＢを処理対象とする図６の処理を実行すると、ステップＳ１１の判定はＹＥＳとなり、連動運転を開始することになる。これは、エリアＤについても同じである。
【００３２】
もし、他のエリアからの連動運転指示中である場合には（ステップＳ１１，ＹＥＳ）、換気扇４が運転状態になっていない場合には（ステップＳ１２，ＮＯ）、当該処理対象エリアの換気扇４に対してＯＮ指示を出す（ステップＳ１３）。つまり、ステップＳ１８等で連動エリアに連動運転指示を出しても、直ちに連動運転が行われるのではなく、当該連動エリアを処理対象とする図６の処理が実行される段階で初めて、連動運転が行われることになる。
【００３３】
既に動作状態となっていれば（ステップＳ１２，ＹＥＳ）、そのままとする。そして、上記の通り、他のエリアからの連動運転指示中である場合には、当該処理対象エリアのＣＯ２濃度値が幾つであっても関係なく、必ず換気扇４を動作状態とするので、ステップＳ１４以降の処理は実行せずに、当該処理を終了する。
【００３４】
他のエリアからの連動運転指示中ではない場合には（ステップＳ１１，ＮＯ）、ステップＳ１４以降の処理に移る。
まず、ＣＯ２濃度値が８００(ppm) （強制換気閾値ａ）以上であるか否かを判定し（ステップＳ１４）、８００(ppm)以上であれば（ステップＳ１４、ＹＥＳ）、上記の通り人の有無に関係なく換気扇４を運転させるので、もし換気扇４が運転状態でなければ（ステップＳ１５，ＮＯ）、当該処理対象エリアの換気扇４に対してＯＮ指示を出す（ステップＳ１６）。尚、ＯＮ指示を出したときに、例えばタイマーを起動する。これによって、ステップＳ１７の判定は、このタイマーを参照して行う。すなわち、このタイマーを参照することで、当該処理対象エリアの換気扇４の運転時間が、上記予め設定される所定時間を経過しているか否かを判定し、所定時間以上運転している場合には（ステップＳ１７，ＹＥＳ）、例えば図５（ｂ）の連動エリアテーブルを参照して、上記連動エリアの換気扇連動運転指示を出す（ステップＳ１８）。これは、上記の通り、上記連動指示テーブルにおいて当該連動エリアに対応するフラグをＯＮにする。これによって、当該連動エリアを処理対象とする図６の処理が実行されたときに、ステップＳ１３によってその換気扇４が運転開始されることになる。
【００３５】
尚、ステップＳ１７の判定がＹＥＳとなるのは、換気扇４を所定時間以上運転しても、ＣＯ２濃度値が８００(ppm) 未満とならなかったことを意味する。同様に、後述するステップＳ２５の判定がＹＥＳとなるのは、換気扇４を所定時間以上運転しても、ＣＯ２濃度値が７５０(ppm) 未満とならなかったことを意味する。これらは、人の有無に関係ないが、主に人が居ない場合において、換気扇４を所定時間以上運転しても、ＣＯ２濃度値が７５０(ppm) 未満にならなかったら、連動運転を開始することを意味する。同様に、後述するステップＳ３５，Ｓ３６及びＳ４２、Ｓ４３の処理は、人が居る場合において、換気扇４を所定時間以上運転しても、ＣＯ２濃度値が６００(ppm) 未満にならなかったら、連動運転を開始することを意味する。尚、ここでは、連動運転を開始するか否かを判断する為のＣＯ２濃度値の閾値として、上記の通り、４種類の閾値の中の７５０(ppm)と６００(ppm)とを用いているが、この例に限らず、上記４種類の閾値以外の他の閾値を用いてもよい（何らかの所定の閾値を用いればよい）。
【００３６】
ステップＳ１８の処理を実行したら、本処理は終了する。換気扇４の運転時間が所定時間未満であれば（ステップＳ１７，ＮＯ）、そのまま、本処理を終了する。ステップＳ１６の処理を実行した場合には、当然、ステップＳ１７の判定はＮＯとなるが、図２の処理は、繰り返し実行されるので、今回の処理対象エリアに対する図６の処理も、繰り返し実行される。よって、その後に何度も図６の処理が実行されるうちに、ＣＯ２濃度値が未だ８００(ppm)以上で、換気扇が所定時間以上運転されているときには、連動運転が行われることになる。
【００３７】
ＣＯ２濃度値が７５０(ppm) （強制換気解除閾値ｂ）以上、８００(ppm)未満である場合（ステップＳ２１，ＹＥＳ）、人が居る場合には（ステップＳ２２，ＹＥＳ）、換気扇４が運転状態でなければ（ステップＳ２３，ＮＯ）、換気扇４に対してＯＮ指示を出す（ステップＳ２４）。この場合にも、上記と同様、例えばタイマーを起動する。一方、人がいない場合には（ステップＳ２２，ＮＯ）、何も行わない。つまり、換気扇４が運転状態であればそのまま運転続行され、停止状態であればそのまま停止させておく。
【００３８】
その後のステップＳ２５，Ｓ２６の処理は、上記ステップＳ１７，Ｓ１８の処理とほぼ同じであり、その意味は既に説明してあるので、説明は省略する。
ＣＯ２濃度値が７００(ppm) （換気運転閾値ｃ）以上、７５０(ppm)未満である場合（ステップＳ３１，ＹＥＳ）、人が居る場合には（ステップＳ３２，ＹＥＳ）、換気扇４が運転状態でなければ（ステップＳ３３，ＮＯ）、換気扇４に対してＯＮ指示を出す（ステップＳ３４）。その後のステップＳ３５，Ｓ３６の処理は、上記ステップＳ１７，Ｓ１８の処理とほぼ同じであり、その意味は既に説明してあるので、説明は省略する。
【００３９】
一方、人がいない場合には（ステップＳ３２，ＮＯ）、上記強制換気解除閾値ｂ未満となっていることから、もし換気扇４が運転中であれば（ステップＳ３９，ＮＯ）、換気扇４を停止させる（ステップＳ４０）。また、処理対象エリアの換気扇４を停止させるのであれば、他のエリアに連動運転させる必要もないので、連動エリアに連動運転を指示しているのであれば（ステップＳ３７，ＹＥＳ）、連動運転指示を解除する（ステップＳ３８）。すなわち、例えば、上記連動指示テーブルにおいて当該連動エリアに対応するフラグをＯＦＦにする。
【００４０】
ＣＯ２濃度値が６００(ppm) （換気停止閾値ｄ）以上、７００(ppm)未満である場合（ステップＳ４１，ＹＥＳ）、ステップＳ４２、Ｓ４３の処理を実行する。これは、上記ステップＳ１７，Ｓ１８の処理とほぼ同じであり、その意味は既に説明してあるので、説明は省略する。尚、人がいない場合、ＣＯ２濃度値が７５０(ppm)未満となったら換気扇４を停止させるので、ここでは、人がいない場合にはＣＯ２濃度値は７００（ppm）未満とはならないものと見做している。よって、ステップＳ４１〜Ｓ４３の処理は、人が居る場合において、換気扇４を運転開始から所定時間経過しているにも係らずＣＯ２濃度値が６００(ppm)未満とならなかった場合には、連動運転を指示するものである。
【００４１】
そして、ＣＯ２濃度値が６００(ppm)未満となったら（ステップＳ４１，ＮＯ）、もし換気扇４が運転中であれば（ステップＳ４６，ＮＯ）、換気扇４を停止させる（ステップＳ４７）。また、この場合も、上記ステップＳ３７，Ｓ３８と同様、連動エリアに対して連動運転指示しているのであれば（ステップＳ４４，ＹＥＳ）、連動運転指示を解除（フラグＯＦＦ等）する（ステップＳ４５）。
【００４２】
以上述べたように、本手法では、例えば４つの閾値を用いてＣＯ２濃度値に応じて、更に人の有無に応じて、肌理細やかな換気扇運転制御を行うことで、快適性を損なうことなく省エネ効果を得ることができる。人が居ないときには、人が入ってきたときに不快にならない程度の最小限の換気を行っておき、人が入ってきたら、快適な状態となるように換気扇運転制御を行う。その際、例えば、図４に示す例のように室内を複数のエリアに分割し、各エリアに換気扇４等がある場合には、省エネ効果を図りつつも、換気効率が悪い場合には、他のエリアの換気扇４も運転させることで、換気効率をアップさせ、短時間で快適な状態となるようにできる。
【００４３】
最後に、図１のネットワークシステムについて説明する。このネットワークシステムの具体例については特に限定しないが、ＬｏｎＷｏｒｋｓ（ロンワークス）技術を用いることが望ましい。ＬｏｎＷｏｒｋｓは、例えば特開２００２−３３３１９６号公報等で紹介されているように、米国エシェロン社によって開発された、設備機器用のオープンネットワークであり、その適用分野はビルディング・オートメーション等である。ＬｏｎＷｏｒｋｓ技術は、高度に分散化されたピア・ツー・ピア（Ｐ２Ｐ）アーキテクチャを実現するものであり、ネットワークに接続された各ノードには、単純なアプリケーションプログラムを配置し、制御ロジックをシステム全体に分散させる。原則的には、システム内のセンサーやアクチュエータの全てが、上記ノードと成り得る。ノードで実行するアプリケーションプログラムは、独自にプログラミングするのではなく、パラメータを設定してカスタマイズする。また、ＬｏｎＷｏｒｋｓは、あらゆる物理媒体を介しての通信が可能であり、例えば中小／雑居ビル等で既に各部屋毎（各中小企業毎）に独自に空調機・換気扇を設置されており、これらが様々なメーカーのものであったとしても、何等問題なく容易に、図１のネットワークシステムを構築できる。
【００４４】
この例の場合、各ＣＯ２センサ２、人感センサ３、換気扇４、及びコントローラ５には、固有のアドレスが割り当てられて記憶されており、各ＣＯ２センサ２、人感センサ３は、各々、自律的に、例えば定周期で、測定結果データをコントローラ５に対してパケット送信する。このパケットには、送信先であるコントローラ５のアドレス、及び送信元のセンサのアドレスが含まれる。あるいは、各センサは、各々、コントローラ５の異なるポート宛にパケットを送信するようにしてもよい。何れにしても、コントローラ５は、受信したデータが、どのセンサからのデータであるのは判別できるようになっている。コントローラ５は、任意の換気扇４のアドレスに対して、ＯＮ／ＯＦＦ指示データが入ったパケットを送信する。
【００４５】
勿論、ＬｏｎＷｏｒｋｓに限定するものではなく、例えばゲートウェイ、ＰＬＣ（プログラマブルコントローラ）等を用いて、図１のネットワークシステムを構築するようにしてもよい。但し、上記の通り、低コスト、システム構築の容易性の観点から、ＬｏｎＷｏｒｋｓ技術を採用することが望ましい。
【図面の簡単な説明】
【００４６】
【図１】本例の空調システムの概略的なシステム構成図である。
【図２】コントローラによる空調制御処理全体の概略フローである。
【図３】各種閾値と検出されるＣＯ２濃度値の具体例を示す図である。
【図４】エリアの一例を示す図である。
【図５】（ａ）はセンサ−換気扇対応付けテーブル、（ｂ）は連動エリアテーブルの一例を示す図である。
【図６】図２に示す各ステップの詳細フローチャート図である。
【符号の説明】
【００４７】
１  ネットワーク
２  ＣＯ２センサ
３  人感センサ
４  換気扇
５  コントローラ
【図１】
2007085698.tif 000003
【図２】
2007085698.tif 000004
【図３】
2007085698.tif 000005
【図４】
2007085698.tif 000006
【図５】
2007085698.tif 000007
【図６】
2007085698.tif 000008